【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
乗り物の乗車予約を要求する携帯電話機と、
上記携帯電話機からの乗車予約の要求を受け付ける予約センターと、
上記乗り物のチェックインを行う自動チェックイン機と
を備えた自動チェックインシステムにおいて、
上記予約センターが、上記携帯電話機からの乗車予約の要求に基づき予約情報を生成し、生成した上記予約情報を上記携帯電話機に配信し、
上記携帯電話機が上記予約センターから配信された予約情報を蓄積し、
上記乗り物のチェックイン時に、上記携帯電話機が蓄積している予約情報を上記自動チェックイン機に受け渡し、上記自動チェックイン機が、上記携帯電話機から受け渡された予約情報を上記予約センターに照会し、上記予約センターが保持している予約情報と照合して乗車券の発券処理を行う
ことを特徴とする自動チェックインシステム。
【請求項２】
予約センターが、
携帯電話機からの乗車予約の要求に基づき予約情報を生成し、生成した上記予約情報を上記携帯電話機に配信する予約情報送出機
を備えたことを特徴とする請求項１記載の自動チェックインシステム。
【請求項３】
乗り物の乗車予約を要求する携帯電話機と、
上記携帯電話機からの乗車予約の要求を受け付ける予約センターと、
上記乗り物のチェックインを行う自動チェックイン機と
を備えた自動チェックインシステムにおいて、
上記予約センターが、上記携帯電話機からの乗車予約の要求に基づき予約情報を生成し、生成した上記予約情報を上記携帯電話機に配信すると共に、上記自動チェックイン機に配信し、
上記携帯電話機が上記予約センターから配信された予約情報を蓄積し、
上記乗り物のチェックイン時に、上記携帯電話機が蓄積している予約情報を上記自動チェックイン機に受け渡し、上記自動チェックイン機が、上記携帯電話機から受け渡された予約情報を、上記予約センターから配信された予約情報と照合して乗車券の発券処理を行う
ことを特徴とする自動チェックインシステム。
【請求項４】
予約センターが、
携帯電話機からの乗車予約の要求に基づき予約情報を生成し、生成した上記予約情報を上記携帯電話機に配信すると共に、自動チェックイン機に配信する予約情報送出機
を備えたことを特徴とする請求項３記載の自動チェックインシステム。
【請求項５】
携帯電話機が、
予約センターから配信された予約情報を蓄積する情報蓄積用メモリと、
チェックイン時に起動される第１の予約情報交換アプリケーションと、
起動された上記第１の予約情報交換アプリケーションの指示により、自動チェックイン機に通信リンクの確立を要求して通信リンクを確立し、上記情報蓄積用メモリに蓄積された予約情報を、上記自動チェックイン機に受け渡す第１のトランシーバ部と
を備えたことを特徴とする請求項１又は請求項３記載の自動チェックインシステム。
【請求項６】
第１のトランシーバ部が、赤外線を使用して自動チェックイン機との通信リンクを確立することを特徴とする請求項５記載の自動チェックインシステム。
【請求項７】
自動チェックイン機が、
携帯電話機からの通信リンクの確立要求を受けて通信リンクを確立し、上記携帯電話機から受け渡された予約情報を受ける第２のトランシーバ部と、
上記第２のトランシーバ部が通信リンクを確立したときに起動され、上記携帯電話機からの予約情報を受けるよう上記第２のトランシーバ部に指示する第２の予約情報交換アプリケーションと、
上記第２の予約情報交換アプリケーションの指示により、上記第２のトランシーバ部が受けた上記携帯電話機からの予約情報を予約センターに照会し、上記予約センターが保持している予約情報と照合して乗車券の発券処理を行う発券処理部と
を備えたことを特徴とする請求項１記載の自動チェックインシステム。
【請求項８】
自動チェックイン機が、
携帯電話機からの通信リンクの確立要求を受けて通信リンクを確立し、上記携帯電話機から受け渡された予約情報を受ける第２のトランシーバ部と、
上記第２のトランシーバ部が通信リンクを確立したときに起動され、上記携帯電話機からの予約情報を受けるよう上記第２のトランシーバ部に指示する第２の予約情報交換アプリケーションと、
上記第２の予約情報交換アプリケーションの指示により、上記第２のトランシーバ部が受けた上記携帯電話機からの予約情報を、上記予約センターから配信された予約情報と照合して乗車券の発券処理を行う発券処理部と
を備えたことを特徴とする請求項３記載の自動チェックインシステム。
【請求項９】
第２のトランシーバ部が、赤外線を使用して携帯電話機との通信リンクを確立することを特徴とする請求項７又は請求項８記載の自動チェックインシステム。
【請求項１０】
乗り物の乗車予約を予約センターに行った際に、予約センターから配信された予約情報を蓄積する情報蓄積用メモリと、
上記乗り物のチェックイン時に起動される予約情報交換アプリケーションと、
起動された上記予約情報交換アプリケーションの指示により、自動チェックイン機に通信リンクの確立を要求して通信リンクを確立し、上記情報蓄積用メモリに蓄積された予約情報を、上記自動チェックイン機に受け渡すトランシーバ部と
を備えたことを特徴とする携帯電話機。
【請求項１１】
トランシーバ部が、赤外線を使用して自動チェックイン機との通信リンクを確立することを特徴とする請求項１０記載の携帯電話機。
【請求項１２】
予約センターに乗り物の乗車予約を行い上記予約センターにより生成された予約情報が配信された携帯電話機からの通信リンクの確立要求を受けて通信リンクを確立し、上記携帯電話機から受け渡された予約情報を受けるトランシーバ部と、
上記トランシーバ部が通信リンクを確立したときに起動され、上記携帯電話機からの予約情報を受けるよう上記トランシーバ部に指示する予約情報交換アプリケーションと、  上記予約情報交換アプリケーションの指示により、上記トランシーバ部が受けた上記携帯電話機からの予約情報を予約センターに照会し、上記予約センターが保持している予約情報と照合して乗車券の発券処理を行う発券処理部と
を備えたことを特徴とする自動チェックイン機。
【請求項１３】
予約センターに乗り物の乗車予約を行い上記予約センターにより生成された予約情報が配信された携帯電話機からの通信リンクの確立要求を受けて通信リンクを確立し、上記携帯電話機から受け渡された予約情報を受けるトランシーバ部と、
上記トランシーバ部が通信リンクを確立したときに起動され、上記携帯電話機からの予約情報を受けるよう上記トランシーバ部に指示する予約情報交換アプリケーションと、  上記予約情報交換アプリケーションの指示により、上記トランシーバ部が受けた上記携帯電話機からの予約情報を、上記予約センターから配信された予約情報と照合して乗車券の発券処理を行う発券処理部と
を備えたことを特徴とする自動チェックイン機。
【請求項１４】
トランシーバ部が、赤外線を使用して携帯電話機との通信リンクを確立することを特徴とする請求項１２又は請求項１３記載の自動チェックイン機。
【手続補正２】
【補正対象書類名】明細書
【補正対象項目名】０００６
【補正方法】変更
【補正の内容】
【０００６】
【課題を解決するための手段】
この発明に係る自動チェックインシステムは、乗り物の乗車予約を要求する携帯電話機と、上記携帯電話機からの乗車予約の要求を受け付ける予約センターと、上記乗り物のチェックインを行う自動チェックイン機とを備えたものにおいて、上記予約センターが、上記携帯電話機からの乗車予約の要求に基づき予約情報を生成し、生成した上記予約情報を上記携帯電話機に配信し、上記携帯電話機が上記予約センターから配信された予約情報を蓄積し、上記乗り物のチェックイン時に、上記携帯電話機が蓄積している予約情報を上記自動チェックイン機に受け渡し、上記自動チェックイン機が、上記携帯電話機から受け渡された予約情報を上記予約センターに照会し、上記予約センターが保持している予約情報と照合して乗車券の発券処理を行うものである。
【手続補正３】
【補正対象書類名】明細書
【補正対象項目名】０００８
【補正方法】変更
【補正の内容】
【０００８】
この発明に係る自動チェックインシステムは、乗り物の乗車予約を要求する携帯電話機と、上記携帯電話機からの乗車予約の要求を受け付ける予約センターと、上記乗り物のチェックインを行う自動チェックイン機とを備えたものにおいて、上記予約センターが、上記携帯電話機からの乗車予約の要求に基づき予約情報を生成し、生成した上記予約情報を上記携帯電話機に配信すると共に、上記自動チェックイン機に配信し、上記携帯電話機が上記予約センターから配信された予約情報を蓄積し、上記乗り物のチェックイン時に、上記携帯電話機が蓄積している予約情報を上記自動チェックイン機に受け渡し、上記自動チェックイン機が、上記携帯電話機から受け渡された予約情報を、上記予約センターから配信された予約情報と照合して乗車券の発券処理を行うものである。
【手続補正４】
【補正対象書類名】明細書
【補正対象項目名】００１０
【補正方法】変更
【補正の内容】
【００１０】
この発明に係る自動チェックインシステムは、携帯電話機が、予約センターから配信された予約情報を蓄積する情報蓄積用メモリと、チェックイン時に起動される第１の予約情報交換アプリケーションと、起動された上記第１の予約情報交換アプリケーションの指示により、自動チェックイン機に通信リンクの確立を要求して通信リンクを確立し、上記情報蓄積用メモリに蓄積された予約情報を、上記自動チェックイン機に受け渡す第１のトランシーバ部とを備えたものである。
【手続補正５】
【補正対象書類名】明細書
【補正対象項目名】００１２
【補正方法】変更
【補正の内容】
【００１２】
この発明に係る自動チェックインシステムは、自動チェックイン機が、携帯電話機からの通信リンクの確立要求を受けて通信リンクを確立し、上記携帯電話機から受け渡された予約情報を受ける第２のトランシーバ部と、上記第２のトランシーバ部が通信リンクを確立したときに起動され、上記携帯電話機からの予約情報を受けるよう上記第２のトランシーバ部に指示する第２の予約情報交換アプリケーションと、上記第２の予約情報交換アプリケーションの指示により、上記第２のトランシーバ部が受けた上記携帯電話機からの予約情報を予約センターに照会し、上記予約センターが保持している予約情報と照合して乗車券の発券処理を行う発券処理部とを備えたものである。
【手続補正６】
【補正対象書類名】明細書
【補正対象項目名】００１３
【補正方法】変更
【補正の内容】
【００１３】
この発明に係る自動チェックインシステムは、自動チェックイン機が、携帯電話機からの通信リンクの確立要求を受けて通信リンクを確立し、上記携帯電話機から受け渡された予約情報を受ける第２のトランシーバ部と、上記第２のトランシーバ部が通信リンクを確立したときに起動され、上記携帯電話機からの予約情報を受けるよう上記第２のトランシーバ部に指示する第２の予約情報交換アプリケーションと、上記第２の予約情報交換アプリケーションの指示により、上記第２のトランシーバ部が受けた上記携帯電話機からの予約情報を、上記予約センターから配信された予約情報と照合して乗車券の発券処理を行う発券処理部とを備えたものである。
【手続補正７】
【補正対象書類名】明細書
【補正対象項目名】００１５
【補正方法】変更
【補正の内容】
【００１５】
この発明に係る携帯電話機は、乗り物の乗車予約を予約センターに行った際に、予約センターから配信された予約情報を蓄積する情報蓄積用メモリと、上記乗り物のチェックイン時に起動される予約情報交換アプリケーションと、起動された上記予約情報交換アプリケーションの指示により、自動チェックイン機に通信リンクの確立を要求して通信リンクを確立し、上記情報蓄積用メモリに蓄積された予約情報を、上記自動チェックイン機に受け渡すトランシーバ部とを備えたものである。
【手続補正８】
【補正対象書類名】明細書
【補正対象項目名】００１７
【補正方法】変更
【補正の内容】
【００１７】
この発明に係る自動チェックイン機は、予約センターに乗り物の乗車予約を行い上記予約センターにより生成された予約情報が配信された携帯電話機からの通信リンクの確立要求を受けて通信リンクを確立し、上記携帯電話機から受け渡された予約情報を受けるトランシーバ部と、上記トランシーバ部が通信リンクを確立したときに起動され、上記携帯電話機からの予約情報を受けるよう上記トランシーバ部に指示する予約情報交換アプリケーションと、上記予約情報交換アプリケーションの指示により、上記トランシーバ部が受けた上記携帯電話機からの予約情報を予約センターに照会し、上記予約センターが保持している予約情報と照合して乗車券の発券処理を行う発券処理部とを備えたものである。
【手続補正９】
【補正対象書類名】明細書
【補正対象項目名】００１８
【補正方法】変更
【補正の内容】
【００１８】
この発明に係る自動チェックイン機は、予約センターに乗り物の乗車予約を行い上記予約センターにより生成された予約情報が配信された携帯電話機からの通信リンクの確立要求を受けて通信リンクを確立し、上記携帯電話機から受け渡された予約情報を受けるトランシーバ部と、上記トランシーバ部が通信リンクを確立したときに起動され、上記携帯電話機からの予約情報を受けるよう上記トランシーバ部に指示する予約情報交換アプリケーションと、上記予約情報交換アプリケーションの指示により、上記トランシーバ部が受けた上記携帯電話機からの予約情報を、上記予約センターから配信された予約情報と照合して乗車券の発券処理を行う発券処理部とを備えたものである。
【手続補正１０】
【補正対象書類名】明細書
【補正対象項目名】００４１
【補正方法】変更
【補正の内容】
【００４１】
【発明の効果】
以上のように、この発明によれば、予約センターが、携帯電話機からの乗車予約の要求に基づき予約情報を生成し、生成した予約情報を携帯電話機に配信し、携帯電話機が配信された予約情報を蓄積し、乗り物のチェックイン時に、携帯電話機が蓄積している予約情報を自動チェックイン機に受け渡し、自動チェックイン機が、携帯電話機から受け渡された予約情報を予約センターに照会し、上記予約センターが保持している予約情報と照合して乗車券の発券処理を行うことにより、利用者が予約情報を記録しておいたり、自動チェックイン機を操作して、便名や予約番号等の個々の予約情報を入力する手間を省くことができるという効果がある。
【手続補正１１】
【補正対象書類名】明細書
【補正対象項目名】００４２
【補正方法】変更
【補正の内容】
【００４２】
この発明によれば、予約センターが、携帯電話機からの乗車予約の要求に基づき予約情報を生成し、生成した予約情報を携帯電話機と自動チェックイン機に配信し、携帯電話機が配信された予約情報を蓄積し、乗り物のチェックイン時に、携帯電話機が蓄積している予約情報を自動チェックイン機に受け渡し、自動チェックイン機が、携帯電話機から受け渡された予約情報を、予約センターから配信された予約情報と照合して乗車券の発券処理を行うことにより、利用者が予約情報を記録しておいたり、自動チェックイン機を操作して、便名や予約番号等の個々の予約情報を入力する手間を省くことができるという効果がある。
【手続補正１２】
【補正対象書類名】明細書
【補正対象項目名】００４３
【補正方法】変更
【補正の内容】
【００４３】
この発明によれば、携帯電話機が、乗り物の乗車予約を予約センターに行った際に、予約センターから配信された予約情報を蓄積する情報蓄積用メモリと、チェックイン時に起動される予約情報交換アプリケーションと、起動された予約情報交換アプリケーションの指示により、自動チェックイン機に通信リンクの確立を要求して通信リンクを確立し、情報蓄積用メモリに蓄積された予約情報を、自動チェックイン機に受け渡すトランシーバ部とを備えることにより、利用者が予約情報を記録しておいたり、自動チェックイン機を操作して、便名や予約番号等の個々の予約情報を入力する手間を省くことができるという効果がある。
【手続補正１３】
【補正対象書類名】明細書
【補正対象項目名】００４４
【補正方法】変更
【補正の内容】
【００４４】
この発明によれば、自動チェックイン機が、予約センターに乗り物の乗車予約を行い予約センターにより生成された予約情報が配信された携帯電話機からの通信リンクの確立要求を受けて通信リンクを確立し、携帯電話機から受け渡された予約情報を受けるトランシーバ部と、トランシーバ部が通信リンクを確立したときに起動され、携帯電話機からの予約情報を受けるようトランシーバ部に指示する予約情報交換アプリケーションと、予約情報交換アプリケーションの指示により、トランシーバ部が受けた携帯電話機からの予約情報を予約センターに照会し、予約センターが保持している予約情報と照合して乗車券の発券処理を行う発券処理部とを備えることにより、利用者が予約情報を記録しておいたり、自動チェックイン機を操作して、便名や予約番号等の個々の予約情報を入力する手間を省くことができるという効果がある。
【手続補正１４】
【補正対象書類名】明細書
【補正対象項目名】００４５
【補正方法】変更
【補正の内容】
【００４５】
この発明によれば、自動チェックイン機が、予約センターに乗り物の乗車予約を行い予約センターにより生成された予約情報が配信された携帯電話機からの通信リンクの確立要求を受けて通信リンクを確立し、携帯電話機から受け渡された予約情報を受けるトランシーバ部と、トランシーバ部が通信リンクを確立したときに起動され、携帯電話機からの予約情報を受けるようトランシーバ部に指示する予約情報交換アプリケーションと、予約情報交換アプリケーションの指示により、トランシーバ部が受けた携帯電話機からの予約情報を、予約センターから配信された予約情報と照合して乗車券の発券処理を行う発券処理部とを備えることにより、利用者が予約情報を記録しておいたり、自動チェックイン機を操作して、便名や予約番号等の個々の予約情報を入力する手間を省くことができるという効果がある。